【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】
トレイ（３）と、
トレイ（３）に連結された摺動式のロック（６１）と、
トレイ（３）に連結されていて摺動式のロック（６１）と協働するロック用フラップ（１３）と、
トレイ（３）に連結されたカバー（１１）とを有し、
カバー（１１）は、ロック用フラップ（１３）がカバー（１１）の上方に位置するときにカバー（１１）を閉じた状態に保持するために、カバー（１１）及びロック用フラップ（１３）が閉じているときにロック用フラップ（１３）の下方に位置する自由端部を有しており、
摺動式のロック（６１）はロック用フラップ（１３）と協働してロック用フラップ（１３）を閉じた状態に保持する、
ロック式容器。
【請求項２】
前記ロック用フラップ（１３）が、該ロック用フラップ（１３）から直角方向に延びるラッチ延長部（５１）を有しており、該ラッチ延長部（５１）は横方向のラッチリブ（５５）を有している請求項１に記載のロック式容器。
【請求項３】
前記トレイ（３）がその一端に隆起した棚（４１）を有する請求項１もしくは２に記載のロック式容器。
【請求項４】
前記ロック用フラップ（１３）は一体のヒンジ（１５）によってトレイ（３）に連結されている請求項１〜３のいずれかに記載のロック用容器。
【請求項５】
前記ロック用フラップ（１３）は平行な複数の溝（２３）を有し、これらの溝（２３）はロック用フラップ（１３）のヒンジ連結された端部に対して直角でかつ間隔を置いて位置し、そしてロック用フラップ（１３）の自由端に至り延びていて、ロック用フラップ（１３）に中央セクション（１７）と２つの外側セクション（１９）とを形成しており、
２つの外側セクション（１９）ひいては中央セクション（１７）及びラッチ延長部のリブ（５５）を持ち上げてカバー（１１）の自由端を解放するため、ロック用フラップ（１３）の２つの外側セクション（１９）における自由端は隆起した曲線状部分（２１）を有している請求項１〜４のいずれかに記載のロック式容器。
【請求項６】
前記摺動式のロック（６１）にはロック用フラップ（１３）から遠い側の端部においてプルリング（３３）が備えられている請求項１〜５のいずれかに記載のロック式容器。
【請求項７】
前記摺動式のロック（６１）にはロック用フラップ（１３）に近い側の端部において、ラッチ延長部（５１）のラッチ（５５）と係合するためのロックリブ（６５）が備えられている請求項２〜６のいずれかに記載のロック式容器。
【請求項８】
前記摺動式のロック（６１）はトレイ（３）の細長い開口部（８６）内に位置しており、摺動式のロック（６１）は外側への延長部を有しており、トレイ（３）は摺動式のロック（６１）をトレイ（３）内に保持するために細長い開口部（８６）に沿って延びる内側への延長部を有している請求項１〜７のいずれかに記載のロック式容器。
【請求項９】
前記トレイ（３）と摺動式のロック（６１）とロック用フラップ（１３）とは一つのモールドキャビティの中で成形されたものである請求項１〜８のいずれかに記載のロック式容器。
【請求項１０】
前記カバー（１１）はラミネートされたものであり、該ラミネート内にはカバー（１１）とトレイ（３）の間で物品を保持するための複数のブリスタ３５が形成されている請求項１〜９のいずれかに記載のロック式容器。
【請求項１１】
前記トレイ（３）は、カバー（１１）がトレイ（３）に対して閉じられたときにカバー（１１）の側縁と重なり合うために、内側へ延びるリブ（９）を備えた側壁を有している請求項１〜１０のいずれかに記載のロック式容器。
【請求項１２】
前記カバー（１１）は二つの平行な折り目を設けることによって三つのパネルとして形成された板紙あるいはプラスチック材料でできており、前記の三つのパネルはトレイ（３）の下でトレイ（３）に連結されるベースパネル（２９）と、トレイ（３）の端部に重ね合わされる背パネル（２７）と、トレイ（３）の上部に重ね合わされる上部パネル（１１）とからなり、上部パネルはラミネートされていて比較的堅固な上部パネルとなっている請求項１〜１１のいずれかに記載のロック式容器。
【請求項１３】
前記ベースパネル（２９）は摺動式のロック（６１）と協働するための細長い開口部を有している請求項１２に記載のロック式容器。
【請求項１４】
前記棚（４１）は中央開口部を有しており、上部パネル（１１）はラッチ延長部（５１）を受容するための相補的な中央開口部（４３）を有している請求項３に記載のロック式容器。
【請求項１５】
前記摺動式のロック（６１）は付勢手段と協働して第１位置から第２位置へと摺動可能であり、第１位置において摺動式のロック（６１）のロックリブ（６５）はラッチ延長部（５１）のラッチリブ（５５）と係合し、摺動式のロック（６１）を付勢手段の力に抗して第２位置へ移動させるとロックリブ（６５）がラッチリブ（５５）との係合から外れてロック用のフラップ（１３）を解放できる請求項３〜１４のいずれかに記載のロック式容器。
【請求項１６】
前記トレイ（３）とロック用フラップ（１３）と摺動式のロック（６１）と付勢手段とは一つのモールドキャビティの中で成形されたものである請求項１〜１５のいずれかに記載のロック式容器。
【請求項１７】
容器をロックしまたロックを解除するための方法であって、
カバー（１１）と細長い開口部（８６）とを有するトレイ（３）を設ける段階と、
トレイ（３）の一端にロック用フラップ（１３）をヒンジ式に連結する段階とを有し、
ロック用フラップ（１３）は該ロック用フラップ（１３）から直角方向に延びるラッチ延長部（５１）を有しており、またラッチ延長部（５１）は横歩行のラッチリブ（５５）を有しており、
さらに、トレイ（３）の細長い開口部（８６）に摺動式のロック（６１）を設ける段階を有し、
摺動式のロック（６１）は付勢手段と協働して第１位置から第２位置へと摺動可能であり、第１位置において摺動式のロック（６１）のロックリブ（６５）はラッチ延長部（５１）のラッチリブ（５５）と係合して容器をロックし、摺動式のロック（６１）を付勢手段の力に抗して第２位置へ移動させるとロックリブ（６５）がラッチリブ（５５）との係合から外れて容器のロックを解除できる方法。
【請求項１８】
前記ロック用フラップ（１３）は隆起した曲線状部分（２１）を備えており、ロック用フラップ（１３）の曲線状部分（２１）を用いてロック用フラップ（１３）を持ち上げる段階をさらに有する請求項１７に記載の方法。
【請求項１９】
カバーを有する容器のためのロック装置であって、
容器の一端に回動可能に連結されたロック用フラップ（１３）と、
カバーに対して摺動可能に設けられていてロック用フラップ（１３）と協働する摺動式のロック（６１）とを有し、
ロック用フラップ（１３）は摺動式のロック（６１）と係合してカバーを閉じた状態に保持するための第１位置から、摺動式のロック（６１）との係合を解除してカバーを解放し開いた状態にスライドさせるための第２位置へと回動するロック装置。
【請求項２０】
前記ロック用フラップ（１３）が、該ロック用フラップ（１３）から直角方向に延びるラッチ延長部（５１）を有しており、該ラッチ延長部（５１）は横方向のラッチリブ（５５）を有している請求項１９記載のロック装置。
【請求項２１】
前記ロック用フラップ（１３）は一体のヒンジ（１５）によって容器（３）に連結されている請求項１９もしくは２０に記載のロック装置。
【請求項２２】
前記ロック用フラップ（１３）は平行な複数の溝（２３）を有し、これらの溝（２３）はロック用フラップ（１３）のヒンジ連結された端部に対して直角でかつ間隔を置いて位置し、そしてロック用フラップ（１３）の自由端に至り延びていて、ロック用フラップ（１３）に中央セクション（１７）と２つの外側セクション（１９）とを形成しており、
２つの外側セクション（１９）ひいては中央セクション（１７）及びラッチ延長部のリブ（５５）を持ち上げてカバー（１１）の自由端を解放するため、ロック用フラップ（１３）の２つの外側セクション（１９）における自由端は隆起した曲線状部分（２１）を有している請求項１９もしくは２０に記載のロック装置。
【請求項２３】
前記摺動式のロック（６１）にはロック用フラップ（１３）から遠い側の端部においてプルリング（３３）が備えられている請求項１９〜２２のいずれかに記載のロック装置。
【請求項２４】
前記摺動式のロック（６１）にはロック用フラップ（１３）に近い側の端部において、ラッチ延長部（５１）のラッチ（５５）と係合するためのロックリブ（６５）が備えられている請求項１９〜２３のいずれかに記載のロック装置。
【請求項２５】
前記摺動式のロック（６１）は容器（３）の細長い開口部（８６）内に位置しており、摺動式のロック（６１）は外側への延長部を有しており、容器（３）は摺動式のロック（６１）を容器（３）内に保持するために細長い開口部（８６）に沿って延びる内側への延長部を有している請求項１９〜２４のいずれかに記載のロック装置。
【請求項２６】
前記容器（３）と摺動式のロック（６１）とロック用フラップ（１３）とは一つのモールドキャビティの中で成形されたものである請求項１９〜２５のいずれかに記載のロック装置。
【請求項２７】
前記容器（３）は、カバー（１１）が容器（３）に対して閉じられたときにカバー（１１）の側縁と重なり合うために、内側へ延びるリブ（９）を備えた側壁を有している請求項１９〜２６のいずれかに記載のロック装置。
【請求項２８】
前記カバー（１１）は二つの平行な折り目を設けることによって三つのパネルとして形成された板紙あるいはプラスチック材料でできており、前記の三つのパネルは容器（３）の下で容器（３）に連結されるベースパネル（２９）と、容器（３）の端部に重ね合わされる背パネル（２７）と、容器（３）の上部に重ね合わされる上部パネル（１１）とからなり、上部パネルはラミネートされていて比較的堅固な上部パネルとなっている請求項１９〜２７のいずれかに記載のロック装置。
【請求項２９】
前記ベースパネル（２９）は摺動式のロック（６１）と協働するための細長い開口部を有している請求項２８に記載のロック装置。
【請求項３０】
前記摺動式のロック（６１）は付勢手段と協働して第１位置から第２位置へと摺動可能であり、第１位置において摺動式のロック（６１）のロックリブ（６５）はラッチ延長部（５１）のラッチリブ（５５）と係合し、摺動式のロック（６１）を付勢手段の力に抗して第２位置へ移動させるとロックリブ（６５）がラッチリブ（５５）との係合から外れてロック用のフラップ（１３）を解放できる請求項１９〜２９のいずれかに記載のロック式容器。
【請求項３１】
前記容器（３）とロック用フラップ（１３）と摺動式のロック（６１）と付勢手段とは一つのモールドキャビティの中で成形されたものである請求項１９〜３０のいずれかに記載のロック装置。